(57)【要約】【課題】吸着筒の軽量化を行っても、騒音の低減が図れる酸素濃縮装置を提供する。【解決手段】酸素濃縮装置１は、患者を含む使用者が酸素吸入を行うための移動可能な酸素濃縮装置であって、筐体５を有する装置本体２と、装置本体２の筐体５内に配置されて、装置本体２の外から取り込んだ空気から酸素を分離するゼオライトを収容している吸着筒１００と、吸着筒１００と筐体５の間は空間を開けて浮かした状態で、吸着筒１００を筐体５に対して緩衝材３１０，４００を用いて固定する吸着筒固定部３００と、を備える。【選択図】図１０
2016135202.tif 000002
【特許請求の範囲】
【請求項１】
患者を含む使用者が酸素吸入を行うための移動可能な酸素濃縮装置であって、
筐体を有する装置本体と、
前記装置本体の前記筐体内に配置されて、前記装置本体の外から取り込んだ空気から酸素を分離するゼオライトを収容している吸着筒と、
前記吸着筒と前記筐体の間は空間を開けて浮かした状態で、前記吸着筒を前記筐体に対して緩衝材を用いて固定する吸着筒固定部と、
を備えることを特徴とする酸素濃縮装置。
【請求項２】
前記緩衝材は、低反発材であることを特徴とする請求項１に記載の酸素濃縮装置。
【請求項３】
前記吸着筒固定部は、
前記筐体の内部に設けられて前記吸着筒の第１端部側を、前記緩衝材を介して支持する第１受け部材と、
前記筐体の内部に設けられて前記吸着筒の第２端部側を、前記緩衝材を介して支持する第２受け部材と、
を有することを特徴とする請求項１または２に記載の酸素濃縮装置。
【請求項４】
前記吸着筒固定部は、前記吸着筒の前記外周囲部分を、緩衝材を介して前記筐体の内部に着脱可能に固定する固定バンドを有することを特徴とする請求項１ないし３のいずれかに記載の酸素濃縮装置。
【請求項５】
前記筐体の内部には、前記吸着筒の外周囲部分を保持する防振用の部材が配置されていることを特徴とする請求項１ないし４のいずれかに記載の酸素濃縮装置。
【発明の詳細な説明】
【技術分野】
【０００１】
本発明は、空気中から酸素を分離生成する移動型の酸素濃縮装置に関する。
【背景技術】
【０００２】
酸素濃縮装置は、肺に疾病を抱える患者を含む使用者が高濃度の酸素を吸引するために使用する。この酸素濃縮装置では、コンプレッサが空気を取り込んで圧縮空気を作り、この圧縮空気は吸着筒の内部に送り込み、吸着筒内の吸着剤に空気の窒素を吸着させる。これにより、酸素濃縮装置は、濃縮酸素を生成する。この生成した濃縮酸素は、カニューラを用いて患者を含む使用者に摂取させる。
【０００３】
患者を含む使用者が移動可能な移動型の酸素濃縮装置は、特許文献１に開示されている。この移動型の酸素濃縮装置は、装置本体と、この装置本体に取り付けられた２つの車輪と、装置本体に取り付けられた１つの小さなキャスタと、装置本体に取り付けられて上下に移動可能なハンドルを有している。患者を含む使用者は、このハンドルを持って装置本体を移動することができる。移動型の酸素濃縮装置では、通常はコンプレッサが空気を取り込んで圧縮して、吸着筒に送り込む。吸着筒内では、空気から窒素を吸着して酸素を分離する。
【先行技術文献】
【特許文献】
【０００４】
【特許文献１】特開平１１−２６２５２６号公報
【発明の概要】
【発明が解決しようとする課題】
【０００５】
ところが、移動型の酸素濃縮装置は、患者を含む使用者により移動が容易にできるようにするために、軽量化が要求されている。このため、吸着筒等の構成部品についても、軽量化が求められている。例えばアルミニウム製の吸着筒の軽量化としては、吸着筒を薄肉化したり、吸着筒を閉じている蓋部分を薄くすることが考えられる。
【０００６】
しかし、吸着筒を単純に薄肉化することで軽量化すると、空気の流量を大きくしたり小さくして変更された場合に、吸着筒内を通過する空気、窒素、酸素等の流体の移動音が発生する。このため、この移動音が吸着筒を通過して、吸着筒からの騒音が増加する。しかも、この移動音が吸着筒を通過して筐体側に音や振動として伝わってしまうので、酸素濃縮装置の騒音の低減が図れない。
そこで、本発明は、吸着筒の軽量化を行っても、騒音の低減が図れる酸素濃縮装置を提供することを目的とする。
【課題を解決するための手段】
【０００７】
本発明の酸素濃縮装置は、患者を含む使用者が酸素吸入を行うための移動可能な酸素濃縮装置であって、筐体を有する装置本体と、前記装置本体の前記筐体内に配置されて、前記装置本体の外から取り込んだ空気から酸素を分離するゼオライトを収容している吸着筒と、前記吸着筒と前記筐体の間は空間を開けて浮かした状態で、前記吸着筒を前記筐体に対して緩衝材を用いて固定する吸着筒固定部と、を備えることを特徴とする。
上記構成によれば、吸着筒固定部は、吸着筒と筐体の間は空間を開けて浮かした状態で、吸着筒を筐体に対して緩衝材を用いて固定する。このため、吸着筒内を通過する空気、窒素、酸素等の流体の移動音が、吸着筒から発生する音や振動を遮断することができ、筐体側に音や振動が伝わらなくなり、酸素濃縮装置の騒音の低減が図れる。
【０００８】
好ましくは、前記緩衝材は、低反発材であることを特徴とする。
上記構成によれば、緩衝材として低反発材を用いることで、吸着筒から発生する音や振動を遮断でき、吸着筒から筐体側に音や振動が伝わらなくなり、酸素濃縮装置の騒音の低減が図れる。
【０００９】
好ましくは、前記吸着筒固定部は、前記筐体の内部に設けられて前記吸着筒の第１端部側を、前記緩衝材を介して支持する第１受け部材と、前記筐体の内部に設けられて前記吸着筒の第２端部側を、前記緩衝材を介して支持する第２受け部材と、を有することを特徴とする。
上記構成によれば、吸着筒の第１端部は、第１受け部材により緩衝材を介して支持し、吸着筒の第２部は、第２受け部材により緩衝材を介して支持しているので、吸着筒の第１端部と第２端部から筐体側に音や振動が伝わらなくなり、酸素濃縮装置の騒音の低減が図れる。
【００１０】
好ましくは、前記吸着筒固定部は、前記吸着筒の前記外周囲部分を、緩衝材を介して前記筐体の内部に着脱可能に固定する固定バンドを有することを特徴とする。
上記構成によれば、吸着筒の外周囲部分は、緩衝材を介して固定バンドを用いて固定するので、吸着筒の支持がより確実にでき、さらに吸着筒から筐体側に音や振動が伝わらなくなり、酸素濃縮装置の騒音の低減が図れる。
【００１１】
好ましくは、前記筐体の内部には、前記吸着筒の外周囲部分を保持する防振用の部材が配置されていることを特徴とする。
上記構成によれば、吸着筒の外周囲部分を保持する防振用の部材により、吸着筒の外周囲部分と筐体の内部の間の防振を図ることができる。
【発明の効果】
【００１２】
本発明によれば、吸着筒の軽量化を行っても、酸素濃縮装置の騒音の低減が図れる酸素濃縮装置を提供することができる。
【図面の簡単な説明】
【００１３】
【図１】本発明の酸素濃縮装置の好ましい実施形態を示す斜視図である。
【図２】図１に示す酸素濃縮装置の背面図である。
【図３】図１に示す酸素濃縮装置の正面図である。
【図４】操作部の例を示す図である。
【図５】筐体の背面カバー部側の上部を示す斜視図である。
【図６】装置本体から伸縮ハンドルを複数段階に引き出して保持できる状態を示す斜視図である。
【図７】装置本体の筐体から背面カバー部を取り除いた筐体の内部構造例を示す図である。
【図８】装置本体の筐体から前面カバー部とハンドルカバー部材を取り除いた筐体の内部構造例を示す図である。
【図９】取り込んだ部屋の空気から濃縮酸素を生成するための回路ブロック例を示す図である。
【図１０】図７に示す装置本体の筐体内の内部構造例を、ＳＤ方向から見た正面図である。
【図１１】固定バンドの構造例を示す斜視図である。
【図１２】別の固定バンドの構造例を示す斜視図である。
【図１３】図１３（Ａ）は、伸縮ハンドルを引き出して伸ばす動作を示し、図１３（Ｂ）は、患者を含む使用者が伸ばして伸縮ハンドルを持って装置本体を移動しようとする状態を示す図である。
【図１４】本発明の実施形態の吸着筒を有する装置本体の騒音レベルと、従来の比較例である吸着筒を有する装置本体の騒音レベルを比較している図である。
【発明を実施するための形態】
【００１４】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
＜酸素濃縮装置１の全体構成＞
図１は、本発明の酸素濃縮装置の好ましい実施形態を示す斜視図である。図２は、図１に示す酸素濃縮装置１の背面図であり、図３は、酸素濃縮装置１の正面図である。図１に示す酸素濃縮装置１では、片方の車輪が取り外された状態を示している。
図１から図３に示す酸素濃縮装置１は、患者を含む使用者や医療従事者等が移動できる移動型の装置である。この酸素濃縮装置１は、慢性閉塞性肺疾患等の低酸素血症等を有する患者を含む使用者が酸素吸入療法を行う際に、酸素供給源として使用する例えば圧力スイング吸着方式により高濃度酸素を発生する装置である。
【００１６】
図１に示すように、酸素濃縮装置１は、患者を含む使用者等による移動を意図した移動型の酸素濃縮装置（可搬型の酸素濃縮装置ともいう）である。患者を含む使用者による酸素濃縮装置１の移動を考慮して、酸素濃縮装置１の小型化と軽量化と、車輪４，４の大型化を図っている。一例として、酸素濃縮装置１の重量は、好ましくは１０ｋｇを下回る例えば９．９ｋｇであり、外形寸法例としては、高さ×幅×奥行が、５９０ｍｍ×３３０ｍｍ×２９３ｍｍである。この酸素濃縮装置１は、比較的軽量であり、コンパクトなサイズを有しており、しかも車輪４，４の大型化を図っているので、患者を含む使用者は、酸素濃縮装置１の移動を容易に行える。
【００１７】
図１から図３に示す酸素濃縮装置１は、概略的には、装置本体２と、伸縮ハンドル３と、左右の大型の車輪４，４を有している。装置本体２は、好ましくはプラスチック製の筐体５を有している。筐体５は、前面カバー部６と、背面カバー部７と、下部本体部８と、ハンドルカバー部材９を有する。
まず、左右の車輪４，４について、図１を参照して説明する。
【００１８】
図１に示すように、大型の左右の車輪４，４は、軽量化のために、例えばプラスチックにより薄肉の部材に形成されている。左右の車輪４，４の直径は、例えば１８０ｍｍである。左右の車輪４，４は、軽量化のために、プラスチック材料を成形することで薄肉化している。車輪４，４のタイヤは、内側部分において、複数のリブにより強度の補強が行われている。車輪４の中心には、中央の円筒形の取付け穴４Ｅが設けられている。
【００１９】
図１に戻ると、左右の軸部４Ａは、下部本体部８において左右反対方向に突出して設けられている。左右の車輪４，４の中央の円筒形の取付け穴４Ｅには、軸部４Ａがそれぞれはめ込まれる。そして、この取付け穴４Ｅには、固定用の円形部材４Ｂがはめ込まれるとともに、固定ネジ４Ｃが軸部４Ａのメネジにねじこまれる。
その後、取付け穴４Ｅには、カバー部材４Ｄが着脱可能にはめ込まれる。このカバー部材４Ｄがはめ込まれることにより、固定ネジ４Ｃと円形部材４Ｂを隠し、しかも車輪４の外側の面を面一にすることができる。従って、カバー部材４Ｄがはめ込まれることで、車輪４とカバー部材４Ｄが外観デザイン的に一体感が生まれるので、車輪４の見栄えを良くすることができる。
【００２０】
図１に示すように、このカバー部材４Ｄは、２カ所に切り欠き部分４Ｌを有している。これにより、車輪４を点検したり、交換したい場合には、患者を含む使用者あるいは患者を含む使用者のサポートをする人は、この切欠き部分４Ｌに通常用いられる汎用の工具を差し込むことで、車輪４からこのカバー部材４Ｄを簡単に取り外すことができる。
このようにして、左右の車輪４，４は、カバー部材４Ｄと固定ネジ４Ｃを、通常使用されている工具を用いて、軸部４Ａに対して着脱可能に取り付けたり、交換することができる。このため、仮に車輪４が破損した場合には、患者を含む使用者あるいは患者を含む使用者のサポートをする人は、車輪４を簡単にしかも短時間で新たな車輪４と交換できる。
【００２１】
＜ハンドルカバー部材９＞
図１と図３に示すハンドルカバー部材９は、伸縮ハンドル３と、伸縮ハンドル支持機構部等を覆うための覆い部材である。ハンドルカバー部材９は、前面カバー部６の正面部分１０を覆うようにして、前面カバー部６に対して着脱可能に装着されている。
前面カバー部６と背面カバー部７は、下部本体部８に対して着脱可能に取り付けられている。前面カバー部６と背面カバー部７は、互いに着脱可能である。
これにより、装置本体２内の各種構成要素のメンテナンス等を行う際には、前面カバー部６と背面カバー部７とハンドルカバー部材９は、容易に分解して取り外すことができる。
【００２２】
前面カバー部６と背面カバー部７と下部本体部８とハンドルカバー部材９は、同系統色であっても良いし、別系統色であっても良い。背面カバー部７とハンドルカバー部材９は、例えばホワイトなどの明るい色を採用し、前面カバー部６と下部本体部８は、例えば暗めの色を採用することで、外観的に見栄えが良くなる。
【００２３】
＜前面カバー部６＞
図１と図３と図４を参照して、前面カバー部６について説明する。
図４は、操作部１４の例を示している。
図１に示すように、前面カバー部６は、正面部分１０と、上面部分１１と、左右の側面部分１２，１３を有している。正面部分１０は、図１と図３では、ハンドルカバー部材９によりほぼ覆われている。上面部分１１は、患者を含む使用者側に見やすいようにハンドルカバー部材９側へ傾斜して形成されている。
【００２４】
図１に示すように、この正面部分１０の上部は、ハンドルカバー部材９には覆われていない。このハンドルカバー部材９により覆われていない正面部分１０の領域は、後で説明する伸縮ハンドル３の取手部４０が収納できる取手部収納部４９になっている。取手部４０が収納された状態では、取手部４０の表面は、上面部分１１の表面からハンドルカバー部材９の表面にかけて、外観上の見栄えが良くなるように、ほぼ連続して傾斜している。
図１から図３に示すように、前面カバー部６の左右の側面部分１２，１３は、上部から中間部へはほぼ垂直に形成されているが、前面カバー部６の中間部から下部にかけては下に向かって広がっている。前面カバー部６の左右の側面部分１２，１３の下部には、車輪カバー部分１２Ａ，１３Ａが膨らむようにしてそれぞれ形成されている。
【００２５】
＜操作部１４＞
図１に示す上面部分１１には、図４に示す操作部１４が配置されている。
図４に示すこの操作部１４は、例えば電源スイッチ１５と、流量インジケータ１６と、流量設定ボタン１７と、メンテナンスボタン１８と、酸素ランプ１９と、表示部２０と、バッテリ残量モニタ２１と、充電中ランプ２１を有している。
電源スイッチ１５は、患者を含む使用者等が押すことで電源のオンオフを行うことで、装置本体２の運転と停止ができる。流量インジケータ１６は、患者を含む使用者に供給されている酸素流量の設定値をデジタルで示す。流量設定ボタン１７は、押すことで酸素流量の増減を設定できる。
メンテナンスボタン１８は、メンテナンス時に押す。酸素ランプ１９は、正常に患者を含む使用者側に酸素を送っている状態であれば、例えば緑色で点灯することで通知する。バッテリ残量モニタ２１は、バッテリの残量を例えば５段階で表示する。充電中ランプ２２は、バッテリが充電中に点灯する。
【００２６】
図４に示す表示部２０は、酸素供給用のチューブが折れたことの警報発生時に点灯するチューブ折れアイコン２０Ａと、コンセントが外れたことの警報発生時に点灯するコンセントアイコン２０Ｂと、酸素濃縮装置における警報発生時に連絡をすべきときに点灯する要連絡アイコン２０Ｃと、火気の検知の警報発生時に点灯する火気検知アイコン２０Ｄと、酸素濃度の低下の警報発生時に点灯する濃度低下アイコン２０Ｅを有する。
図１と図３に示すように、手指挿入用の凹部３０は、正面部分１０の上部であって、上面部分１１の下部の位置に、設けられている。この手指挿入用の凹部３０は、ハンドルカバー部材９により覆われてはいない正面部分１０の上部の領域である。手指挿入用の凹部３０には、患者を含む使用者等の手指を入れることで、装置本体２を直接持ち上げて搬送することができる。
【００２７】
＜背面カバー部７＞
次に、図１と図２と図５を参照して、背面カバー部７について説明する。
図５は、背面カバー部７の上部を示す斜視図である。
背面カバー部７は、前面カバー部６に対して着脱可能に結合できる。図２に示すように、背面カバー部７は、装着部３１と、空気取入口３２と、バッテリ収納凹部３９と、排気口３４を有している。
図１と図２に示すように、背面カバー部７の左右の側面部分７Ｌ，７Ｒは、上部から中間部へはほぼ垂直に形成されているが、背面カバー部７の中間部から下部にかけては下に向かって広がっている。背面カバー部７の左右の側面部分７Ｌ，７Ｒの下部には、車輪カバー部分７Ｓ、７Ｔが膨らむようにしてそれぞれ形成されている。しかも、すでに説明したように、前面カバー部６の左右の側面部分１２，１３の下部には、車輪カバー部分１２Ａ，１３Ａが膨らむようにしてそれぞれ形成されている。これにより、装置本体２は、この下部において、大型の車輪４，４を取り付けることができる領域を確保することができる。
【００２８】
図２と図５に示すように、装着部３１は、背面カバー部７の上部に設けられている。図５に示すように、装着部３１には、電源端子３１Ａと、酸素出口３１Ｂを備える。電源端子３１Ａは、ＡＣアダプタ３５の電源コネクタ３６を着脱可能に接続することで、装置本体２に対して、商用交流電源からの電源供給が可能である。
図５に示す酸素出口３１Ｂは、装置本体２内で生成された酸素を吐出すための吐出し口である。酸素出口３１Ｂは、カプラソケット３７を介してカニューラ３８を接続可能である。患者を含む使用者は、このカニューラ３８を装着することで、酸素の供給を受けることができる。
【００２９】
図２に戻ると、空気取入口３２は、内部に配置されているコンプレッサの動作により装置本体２の周囲の空気を装置本体２の内部に取り込む。この空気取入口３２は、背面カバー部７のほぼ中間位置に設けられている。バッテリ３３は、背面カバー部７に設けられているバッテリ収納凹部３９にはめ込むことで、着脱可能に装着されている。このバッテリ収納凹部３９は、背面カバー部７の底部に配置されている。
このように、比較的重量の大きいバッテリ３３が、背面カバー部７の底部に配置できるので、装置本体２の重心位置が下がって、装置本体２を据え置きした場合の安定性と、装置本体２を移動する際の移動安定性が増す。
なお、装置本体２の電源供給は、図５に示すＡＣアダプタ３５を用いた商用交流電源から行うか、バッテリ３３からの直流電圧を用いて行うことができる。排気口３４は、装置本体２内において分離された窒素ガスを外部に排出する。
【００３０】
＜伸縮ハンドル３と伸縮ハンドル支持機構部５０＞
図６に示すように、伸縮ハンドル３は、破線で示す伸縮ハンドル支持機構部５０により、ハンドルカバー部材９の内部において伸縮（移動）可能で、しかも位置を維持できるように支持されている。すなわち、伸縮ハンドル３は、伸縮ハンドル支持機構部５０により支持されていることで、収納された状態から、複数段階で引き出して伸縮ハンドル３の引出し長さを維持することができる。
図６において破線で示すように、伸縮ハンドル支持機構部５０は、ハンドルカバー部材９内に収容されている。しかも、この伸縮ハンドル支持機構部５０は、正面部分１０に対して着脱可能に固定されている。
【００３１】
図１に示す状態では、伸縮ハンドル３は、取手部４０を除いて、ハンドルカバー部材９側に収められた収納状態を示している。これに対して、図６に示すように、伸縮ハンドル３のパイプ部材４１，４１は、伸縮ハンドル支持機構部５０による支持により、ハンドルカバー部材９内に収められた収納位置ＬＢから、複数段階、例えば３段階の引出し位置Ｌ１、Ｌ２、Ｌ３まで適宜引き出すことができる。この伸縮ハンドル３のパイプ部材４１，４１は、その引出した長さを保つことができる。
【００３２】
また、図１と図６に示すように、ハンドルカバー部材９には、伸縮ハンドルの固定状態解除ボタン６６が外側に露出されている。これにより、患者を含む使用者等は、この伸縮ハンドルの固定状態解除ボタン６６を、ハンドルカバー部材９の上から押すことで、パイプ部材４，４の固定状態を解除でき、パイプ部材４，４をＺ１方向あるいはＺ２方向にスライドして、図６に示す収納位置ＬＢと、伸縮ハンドル３の引出し長さを３段階の引出し位置Ｌ１、Ｌ２、Ｌ３において、患者を含む使用者の体格に合わせて選択することができる。
これにより、患者を含む使用者は、伸縮ハンドル３の引出し長さを３段階の引出し位置Ｌ１、Ｌ２、Ｌ３で、患者を含む使用者の体格に合わせて選択することができる。このため、患者を含む使用者等は、伸縮ハンドル３の取手部４０を持って、装置本体２を容易にしかも快適に移動させることができる。
【００３３】
＜伸縮ハンドル３＞
＜伸縮ハンドル３の取手部４０＞
図６に示すように、伸縮ハンドル３は、取手部４０と、２本のパイプ部材４１，４１を有する。取手部４０は、例えばプラスチック製であり、２本のパイプ部材４１，４１は、軽くて丈夫な金属製、例えばアルミニウム製である。ただし、取手部４０と２本のパイプ部材４１，４１の材質は、特に限定されない。パイプ部材４１は、好ましくは断面円形状である。しかし、パイプ部材４１の断面形状は、特に限定されず、例えば断面正方形や長方形等の方形その他多角形や楕円であっても良い。
取手部４０には、ほぼ長方形状の取手部凹部４０Ｆが設けられている。この取手部凹部４０Ｆは、患者を含む使用者等が手指を差し込んで取手部４０を持つために形成されている。
【００３４】
＜伸縮ハンドル３のパイプ部材４１，４１＞
図１に示すように、パイプ部材４１，４１の下端部には、それぞれプラスチック製のキャップ４１Ｃが取り付けられている。このキャップ４１Ｃは、室内の床面あるいは地面等の設置面ＦＷに当てる。これにより、パイプ部材４１，４１の下端部のキャップ４１Ｃ、４１Ｃは、装置本体２を図１に示すように置いた状態では、大型の２つの車輪４，４とともに、装置本体２の安定性を確保する役割を有する。
しかも、好ましくは図２と図３に示すように、下部本体部８は、２つの支持突起部８Ｇを備えている。これらの支持突起部８Ｇは、設置面ＦＷに当たることで、パイプ部材４１，４１の下端部のキャップ４１Ｃ、４１Ｃと、大型の２つの車輪４，４とともに、装置本体２の安定性を確保する役割を有する。
ここで、図２、図３から明らかなように、支持突起部８Ｇ，８Ｇは、装置本体２に関して、車輪４，４を挟んで反対側の位置で、装置本体２の下端付近で並列に同じ長さで突出している。
このため、車輪４，４と支持突起部８Ｇ，８Ｇの各下端が接地面に当接すれば、酸素濃縮装置１を鉛直方向に起立支持できる。
これに加えて、パイプ部材４１，４１の下端部のキャップ４１Ｃ、４１Ｃは図３に示されているように、設置面に当接できる程度に長く設定しておくことで、酸素濃縮装置１が起立状態からハンドル側に傾こうとするときに、これが転倒することを防止することができる。
ところで、例えば、パイプ部材４１，４１の下端部のキャップ４１Ｃ、４１Ｃは図３に示されているように、設置面に当接できる程度に長くなくても良い。むしろ、パイプ部材４１，４１の下端部のキャップ４１Ｃ、４１Ｃは図３に示されているよりもやや短くすることで、酸素濃縮装置１が鉛直方向に起立支持されているときには、パイプ部材４１，４１の下端が設置面に当接しない程度に長さを短く調整されていてもよい。その寸法について適宜決定でき、当接位置よりほぼ１センチ以内であり、より好ましくはほぼ５ミリ以内とする。それ以上短くすると、転倒防止効果を損なう恐れがある。
しかしながら、パイプ部材４１，４１の下端部のキャップ４１Ｃ、４１Ｃは図３に示されているように、設置面に当接できる程度に長くなくても、十分引き下げられていれば、仮に、酸素濃縮装置１が起立状態から、パイプ部材４１，４１側に倒れようとして傾いても、所定位置でパイプ部材４１，４１の下端部のキャップ４１Ｃ、４１Ｃが、設置面に当接することで、それ以上倒れることを防止することができる。
【００３５】
図１と図３に示すように、正面部分１０の上部には、手指挿入用の凹部３０が設けられている。この手指挿入用の凹部３０は、取手部収納部４９に収めた取手部４０の取手部凹部４０Ｆに対応する位置にある。
これにより、患者を含む使用者あるいは患者を含む使用者のサポートをする人は、手指をこの取手部４０の取手部凹部４０Ｆを通じて、手指挿入用の凹部３０内に差し込むことができる。このため、患者を含む使用者あるいは患者を含む使用者のサポートをする人は、手指により、伸縮ハンドル３を用いずに、伸縮ハンドル３の取手部４０を取手部収納部４９に収めた状態で、装置本体２を直接持って移動することが可能である。
【００３６】
＜装置本体２の内部構造例＞
次に、図７と図８を参照する。
図７は、装置本体２の筐体５から背面カバー部７を取り除いた筐体５の内部構造例を示している。図８は、筐体５から前面カバー部６とハンドルカバー部材９を取り除いた筐体５の内部構造例を示している。
図７に示すように、筐体５の内部には、２つの吸着筒１００，１００や、製品タンク９９等が収容されている。
【００３７】
また、図８に示すように、筐体５の背面カバー部７内には、２つの吸着筒１００，１００やメイン基板１０１等が収容されている。下部本体部８には、空気を圧縮するためのコンプレッサ１１０等が収容されている。
コンプレッサ１１０は、部屋の空気を、図２に示す装置本体２の空気取入口３２から取り入れて圧縮する。コンプレッサ１１０に送り込まれた空気は、加圧された状態で、チューブを介して各吸着筒１００に交互に送り込まれる。吸着筒１００内には、合成ゼオライトが収容されている。合成ゼオライトは、空気から窒素を吸着して酸素だけを分離する。
【００３８】
図９は、取り込んだ部屋の空気から濃縮酸素を生成するための流体回路ブロック２００を示す図である。
図９に示す流体回路ブロック２００では、部屋の空気は、図２に示す空気取入口３２から、空気取入口フィルタ２０１や吸気フィルタを介して、コンプレッサ１１０に取り込まれる。この空気は、コンプレッサ１１０により加圧されて、切替え用の電磁弁２１１，２１２を介して、それぞれ吸着筒１００，１００内の合成ゼオライトＭに交互に送り込まれる。
【００３９】
送り込まれた空気は、加圧された状態で、吸着筒１００，１００内の合成ゼオライトＭにより、吸着筒１００内で空気から窒素を吸着して、吸着筒１００からは酸素だけを生成する。この場合に、電磁弁２１１，２１２の切替えを行うことにより、一方の吸着筒１００内で合成ゼオライトＭが窒素を吸着する。他方の吸着筒１００内では、圧力を開放してすでに吸着している窒素を合成ゼオライトＭから脱離して、合成ゼオライト３００の再生が行われる。
脱離された窒素は、図９に示すコンプレッサ１１０の真空ポンプ排出口を介して、図２に示す排気口３４から室内に排出される。２本の吸着筒１００は、交互に使用することで、濃縮酸素が生成できる。生成された濃縮酸素は、製品タンク２１５に貯められた後、一定圧力にされて、患者を含む使用者に供給される。
【００４０】
＜吸着筒１００と吸着筒固定部３００＞
次に、図１０を参照して、吸着筒１００と吸着筒固定部３００を説明する。
図１０は、図７に示す装置本体２の筐体５内の内部構造例を、ＳＤ方向から見た正面図である。
まず、吸着筒１００の構造例を説明する。
図１０に示すように、筐体５の前面カバー部６の上部領域には、２本の吸着筒１００が、吸着筒固定部３００を用いて、上下方向Ｚに沿って、しかも間隔を離して平行に、着脱可能に取り付けられている。
【００４１】
２つの吸着筒１００は同じ構造を有しており、それぞれ内部には合成ゼオライトＭを収容している。各吸着筒１００は、筒状の本体部１５０と、第１蓋部材１５１と第２蓋部材１５２を有する。本体部１５０は、例えば軽量な金属、例えばアルミニウムにより、好ましくは円筒形に作られている。本体部１５０の厚みは、軽量化のために例えば０．５ｍｍである。第１蓋部材１５１と第２蓋部材１５２は、軽量化のために例えば薄いプラスチック製の部材であり、好ましくは円形に作られている。
本体部１５０の第１端部（上端部）１５０Ａの開口部は、第１蓋部材１５１により着脱可能に閉じている。同様にして、本体部１５０の第２端部（下端部）１５０Ｂの開口部は、第２蓋部材１５２により着脱可能に閉じている。
【００４２】
次に、吸着筒固定部３００の構造例を説明する。
図１０に示す吸着筒固定部３００は、吸着筒１００と筐体５の内面との間に空間ＳＰを開けて浮かした状態で、吸着筒１００を筐体５の内面部分に対して緩衝材３１０を用いて固定している。すなわち、この吸着筒１００は、この吸着筒固定部３００を用いて、筐体５の内面に対して浮かしたフローティング構造により、好ましくは着脱可能に固定されている。
【００４３】
この吸着筒固定部３００の構造例をさらに詳しく説明する。
図１０に示すように、左側の吸着筒１００を固定する吸着筒固定部３００は、第１受け部材３０１と、第２受け部材３０２と、２つの緩衝材３１０，３１０と、２つの固定バンド３３０，３５０と、２つの緩衝材４００，４００を有している。同様にして、右側の吸着筒１００を固定する吸着筒固定部３００は、第１受け部材３０１と、第２受け部材３０２と、２つの緩衝材３１０，３１０と、２つの固定バンド３３０，３５０と、２つの緩衝材４００，４００を有している。
【００４４】
第１受け部材３０１と第２受け部材３０２は、筐体５の内部において筐体５に対して一体的に設けられている。第１受け部材３０１は、第１蓋部材１５１に対応する位置に設けられている。第１受け部材３０１は、吸着筒１００の第１端部１５０Ａ側を、緩衝材３１０を介して好ましくは着脱可能に支持している。
同様にして、第２受け部材３０２は、第２蓋部材１５２に対応する位置に設けられている。第２受け部材３０２は、吸着筒１００の第２端部１５０Ｂ側を、緩衝材３１０を介して好ましくは着脱可能に支持している。
このようにして、左右の吸着筒１００は、筐体５側の第１受け部材３０１と第２受け部材３０２と緩衝材３１０を用いて、上下方向Ｚに沿って移動しないように、好ましくは着脱可能に取り付けられている。
【００４５】
一方、吸着筒固定部３００の例えば２つの固定バンド３３０，３５０は、各吸着筒１００の本体部１５０の外周囲部分を、筐体５の内部に対して着脱可能に固定している。図１０の例では、２つの固定バンド３３０，３５０が、各吸着筒１００の本体部１５０の中間位置と、下部位置にそれぞれ装着されている。
図１１は、上側に位置する固定バンド３３０の構造例を示す斜視図である。図１２は、下側に位置する固定バンド３５０の構造例を示す斜視図である。
図１１に示すように、上側の固定バンド３３０は、第１部材３３１と第２部材３３２から構成されている。第１部材３３１と第２部材３３２は、共に半円弧状に形成されている。第１部材３３１は、円弧部分３３１Ａと、取付け部３３１Ｂと、締結部３３１Ｃを有する。同様にして、第２部材３３２は、円弧部分３３２Ａと、取付け部３３２Ｂと、締結部３３２Ｃを有する。
【００４６】
図１１に示す固定バンド３３０の第１部材３３１と第２部材３３２は、軽量なプラスチックにより作られているが、軽量な金属により作ることもできる。第２部材３３２は、図１０に示す筐体５の内部に固定されている固定部材である。第１部材３３１は、この第２部材３３２に対して着脱可能に固定できる。
第１部材３３１の円弧部分３３１Ａの一端部には取付け部３３１Ｂが設けられ、他端部には締結部３３１Ｃが設けられている。第２部材３３２の円弧部分３３２Ａの一端部には取付け部３３２Ｂが設けられ、他端部には締結部３３２Ｃが設けられている
【００４７】
取付け部３３１Ｂは、はめ込み穴部３３１Ｄを有し、取付け部３３２Ｂは、突起部３３２Ｄを有する。この突起部３３２Ｄは、はめ込み穴部３３１Ｄにはめ込まれることで、取付け部３３１Ｂと取付け部３３２Ｂは着脱可能に連結できる。
締結部３３１Ｃと締結部３３２Ｃは、それぞれネジ穴３３１Ｅ，３３２Ｅを有している。ネジ穴３３２Ｅにはナット３３２Ｎが内蔵されている。ネジ３４０は、ネジ穴３３１Ｅを通り、ナット３３２Ｎに締め付ける。これにより、吸着筒１００の本体部１５０の中間部が、固定バンド３３０の第１部材３３１と第２部材３３２を用いて、筐体５の内部に対して、着脱可能に固定可能である。
【００４８】
次に、図１２に示す下側の固定バンド３５０の第１部材３５１と第２部材３５２は、軽量なプラスチックにより作られているが、軽量な金属により作ることもできる。第２部材３５２は、図１０に示す筐体５の内部に固定されている固定部材である。第１部材３５１は、この第２部材３５２に対して着脱可能に固定できる。
第１部材３５１の円弧部分３５１Ａの一端部には取付け部３５１Ｂが設けられ、他端部には締結部３５１Ｃが設けられている。第２部材３５２の円弧部分３５２Ａの一端部には取付け部３５２Ｂが設けられ、他端部には締結部３５２Ｃが設けられている
【００４９】
取付け部３５１Ｂは、はめ込み穴部３５１Ｄを有し、取付け部３５２Ｂは、突起部３５２Ｄを有する。この突起部３５２Ｄは、はめ込み穴部３５１Ｄにはめ込まれることで、取付け部３５１Ｂと取付け部３５２Ｂは着脱可能に連結できる。
締結部３５１Ｃと締結部３５２Ｃは、それぞれネジ穴３５１Ｅ，３５２Ｅを有している。ネジ穴３５２Ｅにはナット３５２Ｎが内蔵されている。ネジ３４０は、ネジ穴３５１Ｅを通り、ナット３５２Ｎに締め付ける。これにより、吸着筒１００の本体部１５０の下部が、固定バンド３５０の第１部材３５１と第２部材３５２を用いて、筐体５の内部に対して着脱可能に固定可能である。
【００５０】
＜緩衝材３１０，４００＞
図１０に示すように、緩衝材３１０は、左右の吸着筒１００において、第１受け部材３０１と第１蓋部材１５１の間に配置され、かつ第２受け部材３０２と第２蓋部材１５２の間に配置されている。
また、図１１に示すように、帯状部材の緩衝材４００が、第１部材３３１の円弧部分３３１Ａと第２部材３３２の円弧部分３３２Ａの内側にそれぞれ貼り付けられている。図１２に示すように、帯状部材の緩衝材４００が、第１部材３５１の円弧部分３５１Ａと第２部材３５２の円弧部分３５２Ａの内側にそれぞれ貼り付けられている。
【００５１】
図１０から図１２に示す緩衝材３１０，４００の材質としては、好ましくは低反発部材、例えば低反発スポンジ、より具体的には低反発ウレタンを採用することができる。この低反発スポンジは、例えば２５％の圧縮応力で、１０ｋＰａ以下である。
これにより、緩衝材３１０は、左右の吸着筒１００の第１蓋部材１５１と第２蓋部材１５２側において、吸着筒１５０から発生する音および振動を遮断することができる。このため、吸着筒１００の軽量化を図りながら、吸着筒１００から発生する騒音を低減できるので、装置本体２の騒音の低減が可能になる。
また、緩衝材４００を有する２つの固定バンド３３０，３５０は、左右の吸着筒１００の本体部１５０を２カ所で保持しており、緩衝材４００は、吸着筒１５０から発生する音および振動を遮断することができる。このため、吸着筒１００の軽量化を図りながら、吸着筒１００から発生する騒音を低減できるので、装置本体２の騒音の低減が可能になる。
【００５２】
図１０に示すように、好ましくは筐体５の内部には、防振用の部材４５０が配置されている。この防振用の部材４５０は、例えばスポンジなどであり、吸着筒１００の本体部１５０の外周囲部分と筐体５の内面との間に配置されている。この防振用の部材４５０は、筐体５の内面に貼り付けられることで、吸着筒１００の本体部１５０を保持しながら、筐体５内で発生する音が筐体５の外側に出ないようにして、しかも吸着筒１００の振動や電磁弁２１１，２１２が切替時に発生する振動等を防いで、筐体５側にできる限り伝わらないようにしている。
【００５３】
＜酸素濃縮装置１の使用例＞
次に、上述した酸素濃縮装置１の使用例を説明する。
図１３（Ａ）は、患者を含む使用者等が伸縮ハンドル３を引き出して伸ばす動作を示している。図１３（Ｂ）は、患者を含む使用者等が伸縮ハンドル３を伸ばした後に、伸縮ハンドル３を持って装置本体２を、進行方向ＦＦに移動しようとする状態を示している。
図１に示す酸素濃縮装置１の装置本体２の設置状態では、装置本体２は、設置面ＦＷにおいて安定して立てて置かれている。すなわち、伸縮ハンドル３は、装置本体２のハンドルカバー部材９内に収納されている。このため、装置本体２の支持突起部８Ｇ，８Ｇは、設置面ＦＷに当たる。
【００５４】
このように、支持突起部８Ｇ，８Ｇは、パイプ部材４１，４１の下端部のキャップ４１Ｃ、４１Ｃと、大型の２つの車輪４，４とともに、合計６つの支持点で、設置面ＦＷに対して安定して置くことができる。パイプ部材４１，４１の下端部のキャップ４１Ｃ、４１Ｃが設置面ＦＷに当たっていることで、装置本体２が進行方向ＦＦ側に転倒するのを防止し、支持突起部８Ｇ，８Ｇが設置面ＦＷに当たっていることで、装置本体２が後ろ方向ＢＫ側に転倒するのを防止している。
上述したように、装置本体２は、大型の車輪４，４を有しているにもかかわらず、装置本体２は、図１に示すように設置面ＦＷに設置して待機させている状態であっても、装置本体２は前後に倒れないように安定して置くことができる。
【００５５】
そして、患者を含む使用者等が、図１３（Ｂ）に示すように、進行方向ＦＦに沿って移動しようとする場合には、患者を含む使用者等が伸縮ハンドル３をハンドルカバー部材９内から、体格に合わせて引き出す。これにより、パイプ本体４１，４１のキャップ４１Ｃ，４１Ｃは、設置面ＦＷから離れてハンドルカバー部材９内に収納される。このことから、パイプ本体４１，４１のキャップ４１Ｃ，４１Ｃが、装置本体２の移動に支障をきたすことがない。
【００５６】
図５に示すように、酸素出口３１Ｂには、カプラソケット３７を介してカニューラ３８を接続する。そして、患者を含む使用者は図４に示す電源ボタン１５を押すことで、予め設定されている酸素流量により、患者を含む使用者は、図５に示すカニューラ３８を装着して酸素の供給を受けることができる。
【００５７】
患者を含む使用者が例えば居間にいて酸素の供給を受けている際に、例えば居間から食堂に行きたくなった場合には、患者を含む使用者は酸素濃縮装置１とともに食堂に移動する場合を例にして説明する。
患者を含む使用者等は、手指Ｈにより図１３（Ａ）に示すように，設置状態にある装置本体２にある伸縮ハンドルの固定状態解除ボタン６６を、Ｐ方向に押す。図１３（Ａ）に示すように、患者を含む使用者等が伸縮ハンドルの固定状態解除ボタン６６を押すことで、図６に示すように、伸縮ハンドル３の取手部４０を、患者を含む使用者の体格に合わせて、収納段階ＬＢから引出し段階Ｌ１、Ｌ２、Ｌ３のいずれかまで、Ｚ１方向に引き出す。
【００５８】
このようにして、患者を含む使用者は、体格に合わせて、伸縮ハンドル３の取手部４０の高さ位置を、装置本体２に対して、複数段階の内の１つを選んで設定することができる。患者を含む使用者は、図１３（Ｂ）に示すように手指により伸縮ハンドル３の取手部４０を持って、進行方向ＦＦに傾けるようにして、２つの大型の車輪４，４により容易に移動することができる。
従来用いられている移動型の酸素濃縮装置では、安定して移動できるようにする前提から、酸素濃縮装置の設置面からの高さは、できる限り低く設定されている。このため、ハンドルを伸ばすことができないと、患者を含む使用者は腰を屈めて低い姿勢で酸素濃縮装置を移動しなければならない。
【００５９】
しかし、本発明の実施形態の酸素濃縮装置１では、装置本体２の設置面ＦＷからの高さは、できる限り低く設定されている。しかも、図１０に示すように、比較的重量のあるコンプレッサ１１０は、装置本体２の底部に配置されている。このため、患者を含む使用者は、装置本体２を移動する際に、腰を屈めて低い姿勢で異動する必要が無く、安定して運べる。このため、装置本体２の移動性（可搬性）が向上し、患者を含む使用者は、酸素濃縮装置１の伸縮ハンドル３を持って、頻繁に移動することも可能になる。
【００６０】
また、患者を含む使用者あるいは患者を含む使用者のサポートをする人が、伸縮ハンドル３を用いずに、ある場所から別の場所に、装置本体２を持ち上げて運ぶことがある。図１に示す手指挿入用の凹部３０は、取手部４０の取手部凹部４０Ｆの形状に合わせた形状になっている。取手部４０が、正面部分１０において収納されている状態であり、正面部分１０からは突き出てはいない。
【００６１】
患者を含む使用者あるいは医療従事者等を含む使用者のサポートをする人は、手指をこの取手部４０の取手部凹部４０Ｆを通じて、装置本体２の手指挿入用の凹部３０に差し込む。
これにより、患者を含む使用者あるいはサポートをする人は、手指により、伸縮ハンドル３を用いずに、伸縮ハンドル３をハンドルカバー部材９内に収納した状態で、装置本体２を直接持って運ぶことができる。従って、酸素濃縮装置１の搬送が容易に行える。
【００６２】
ところで、患者を含む使用者が酸素濃縮装置１から酸素の供給を受けている時には、図１０に示す２つの吸着筒１００，１００内では、送り込まれた空気から、吸着筒１００，１００内の合成ゼオライトＭにより、窒素を吸着して、吸着筒１００からは酸素だけを生成する。
この場合に、酸素流量の設定値の変更により、空気の流量を大きくしたり小さくして変更されると、空気、酸素、窒素等の流体が各吸着筒１００内を移動する際の移動音と振動が、大きくなる。吸着筒１００の本体部１５０は、すでに説明したように軽量化のために薄肉化されていると、本体部１５０の内部における流体の移動する際に発生する移動音と振動が、本体部１５０から外部に漏れ易い。また、第１蓋部材１５１と第２蓋部材１５２は、軽量化のために薄肉のプラスチックになっていることからも、吸着筒１００の内部における流体の移動する際に発生する移動音と振動が、本体部１５０や第１蓋部材１５１と第２蓋部材１５２を通じて、外部に漏れ易い。
【００６３】
しかしながら、本発明の実施形態では、図１０に示す吸着筒固定部３００の緩衝材３１０と緩衝材４００の材質としては、好ましくは低反発部材、例えば低反発スポンジ、より具体的には低反発ウレタンを採用している。
そして、図１０に示す緩衝材３１０は、左右の吸着筒１００の第１蓋部材１５１と第２蓋部材１５２側において、吸着筒１００の本体１５０と第１蓋部材１５１と第２蓋部材１５２から発生する流体の移動音および振動を遮断することができる。このため、流体の移動音や振動が筐体５に伝わるのを抑止できる。従って、吸着筒１００の軽量化を図りながら、吸着筒１００から発生する騒音を低減できるので、装置本体２の騒音の低減が可能になる。
【００６４】
また、緩衝材４００は、左右の吸着筒１００の本体部１５０を保持しており、吸着筒１００の本体部１５０から発生する流体の移動音および振動を遮断することができる。このため、流体の移動音や振動が筐体５に伝わるのを抑止できる。従って、吸着筒１００の軽量化を図りながら、吸着筒１００から発生する騒音を低減できるので、装置本体２の騒音の低減が可能になる。
さらに、吸着筒固定部３００の緩衝材３１０と緩衝材４００は、図１０に示す切替え用の電磁弁２１１，２１２の切り替え動作の際に生じる伝搬音をも遮断することができ、電磁弁２１１，２１２の切り替え動作の際に生じる伝搬音が筐体５に伝わるのを抑止できる。
このように、吸着筒固定部３００は、吸着筒１００が生じる流体の移動音と振動の抑止だけではなく、電磁弁２１１，２１２の切り替え動作の際に生じる伝搬音の抑止ができるので、装置本体２の騒音の低減が図れる。
【００６５】
図１４は、本発明の実施形態の吸着筒１００を有する装置本体２の騒音レベルと、従来の比較例である吸着筒５００を有する装置本体の騒音レベルを比較している。
図１４に示すように、本発明の実施形態の吸着筒１００の全長は、例えば２６４ｍｍで、直径は４９ｍｍである。この吸着筒１００は、すでに説明した緩衝材として低反発スポンジを用いて吸着筒固定部３００を用いて、いわゆるフローティング構造により支持されている。１つの吸着筒１００の重量は、例えば４００ｇである。
これに対して、比較例の吸着筒５００は。筐体に対して緩衝材を用いずに直接固定（リジッド固定）されている。吸着筒５００の全長は、例えば２８５ｍｍで、直径は６０ｍｍである。１つの吸着筒５００の重量は、例えば９００ｇである。
【００６６】
図１４に示すように、酸素流量が２Ｌ／分であり、無響室において、正面１ｍの距離での騒音レベルは、本発明の実施形態の吸着筒１００では、２７ｄＢである。これに対して、酸素流量が２Ｌ／分であり、無響室において、正面１ｍの距離での騒音レベルは、比較例の吸着筒５００では、３０ｄＢである。
従って、本発明の実施形態の吸着筒１００の本体部１５０の薄型化を図り、第１蓋部材と第２蓋部材は軽量化のためにプラスチックにより薄型に作られたとしても、騒音レベルを低減できる。このように、本発明の実施形態の吸着筒１００は、軽量化を図ったにもかかわらず、装置本体２の騒音レベルを下げることができた。
【００６７】
上述したように、本発明の実施形態の酸素濃縮装置１は、患者を含む使用者が酸素吸入を行うための移動可能な酸素濃縮装置であって、筐体５を有する装置本体２と、装置本体２の筐体５内に配置されて、装置本体２の外から取り込んだ空気から酸素を分離するゼオライトを収容している吸着筒１００と、吸着筒１００と筐体５の間は空間を開けて浮かした状態で、吸着筒１００を筐体５に対して緩衝材３１０，４００を用いて固定する吸着筒固定部３００と、を備える。
これにより、吸着筒固定部は、吸着筒と筐体の間は空間を開けて浮かした状態で、吸着筒を筐体に対して緩衝材を用いて固定する。このため、このため、吸着筒内を通過する空気、窒素、酸素等の流体の移動音が、吸着筒から発生する音や振動を遮断することができ、筐体側に音や振動が伝わらなくなり、酸素濃縮装置の騒音の低減が図れる。
【００６８】
緩衝材３１０は、低反発材であるので、吸着筒から発生する音や振動を遮断でき、吸着筒から筐体側に音や振動が伝わらなくなり、酸素濃縮装置の騒音の低減が図れる。
【００６９】
吸着筒固定部３００は、筐体５の内部に設けられて吸着筒１００の第１端部側を、緩衝材３１０を介して支持する第１受け部材３０１と、筐体５の内部に設けられて吸着筒１００の第２端部側を、緩衝材３１０を介して支持する第２受け部材３０２と、を有する。これにより、吸着筒の第１端部は、第１受け部材により緩衝材を介して支持し、吸着筒の第２部は、第２受け部材により緩衝材を介して支持しているので、吸着筒の第１端部と第２端部から筐体側に音や振動が伝わらなくなり、酸素濃縮装置の騒音の低減が図れる。
【００７０】
吸着筒固定部３００は、吸着筒１００の外周囲部分を、緩衝材４００を介して筐体５の内部に着脱可能に固定する固定バンド３３０を有する。これにより、吸着筒の外周囲部分は、緩衝材を介して固定バンドを用いて固定するので、吸着筒の支持がより確実にでき、さらに吸着筒から筐体側に音や振動が伝わらなくなり、酸素濃縮装置の騒音の低減が図れる。
【００７１】
筐体５の内部には、吸着筒１００の外周囲部分を保持する防振用の部材４５０が配置されている。これにより、吸着筒の外周囲部分を保持する防振用の部材により、吸着筒の外周囲部分と筐体の内部の間の防振を図ることができる。
【００７２】
ところで、本発明は上記実施形態に限定されず、種々の変形例を採用することができる。上述の本発明の実施形態では、上記本発明の実施形態に記載された事項は、その一部を省略してもよいし、上記で説明しない他の構成と組み合わせることによっても本発明の範囲を逸脱するものではない。
上述した本発明の実施形態では、吸着筒１００の本体部１５０は円筒状であるが、これに限らず例えば断面が矩形あるいは楕円形などであっても良い。この本体部１５０の形状に合わせて、第１蓋部材と第２蓋部材の形状を変更できる。
【符号の説明】
【００７３】
１・・・酸素濃縮装置、２・・・装置本体、３・・・伸縮ハンドル（ハンドルの例）、４・・・車輪、５・・・筐体、９・・・ハンドルカバー部材（カバー部材の例）、１００・・・吸着筒、１５０・・・吸着筒の本体部、１５１・・・第１蓋部材、１５２・・・第２蓋部材、３００・・・吸着筒固定部、３０１・・・第１受け部材、３０２・・・第２受け部材、３１０，４００・・・緩衝材、３３０，３５０・・・固定バンド、４５０…防振用部材、ＦＦ・・・進行方向、Ｍ・・・合成ゼオライト
【図１】
2016135202.tif 000003
【図２】
2016135202.tif 000004
【図３】
2016135202.tif 000005
【図４】
2016135202.tif 000006
【図５】
2016135202.tif 000007
【図６】
2016135202.tif 000008
【図７】
2016135202.tif 000009
【図８】
2016135202.tif 000010
【図９】
2016135202.tif 000011
【図１０】
2016135202.tif 000012
【図１１】
2016135202.tif 000013
【図１２】
2016135202.tif 000014
【図１３】
2016135202.tif 000015
【図１４】
2016135202.tif 000016